(57)【特許請求の範囲】
【請求項１】
家電製品（２０）に給電するための電源コード（１０）であって、
前記家電製品（２０）と外部機器との間の無線通信を実現するための通信モジュール（３００）の装着にさらに用いられ、
コード本体（２）と、
前記コード本体（２）の一端に設けられるプラグ（１）と、
前記プラグ（１）から離れて前記コード本体（２）に設けられ、前記コード本体（２）を前記家電製品に固定するためのコード本体固定部（５）と、
前記コード本体固定部（５）に近接し、かつ前記コード本体固定部（５）よりも前記家電製品（２０）の外側に位置して前記コード本体（２）に設けられるスマートモジュール装着部（Ｓ）と、を備え、
前記スマートモジュール装着部（Ｓ）は、収納キャビティ（Ｂ）を有するベース（１００）及び前記ベース（１００）と協働して前記収納キャビティ（Ｂ）を密閉するカバー（２００）を備え、前記通信モジュール（３００）は、前記収納キャビティ（Ｂ）に収納され、
前記ベース（１００）は、底壁（１００’）及び４つの側壁（１００ａ、１００ｂ、１００ｃ、１００ｄ）を備え、前記収納キャビティ（Ｂ）は、前記底壁（１００’）及び前記４つの側壁（１００ａ、１００ｂ、１００ｃ、１００ｄ）により囲まれてなり、
前記ベース（１００）の前記コード本体固定部（５）に近接する１つの前記側壁（１００ａ）には、前記通信モジュール（３００）の前記家電製品に接続されるリード（３０２）を通すための線通し切り欠き（１０１）が形成され、
前記カバー（２００）は、前記ベース（１００）に取り外し可能に装着され、または、前記ベース（１００）に回転可能に接続される、
ことを特徴とする電源コード（１０）。 
【請求項２】
前記底壁（１００’）の前記線通し切り欠き（１０１）に近接する部分には、前記リード（３０２）を嵌着させる制限溝（１０２）が形成されている、ことを特徴とする請求項１に記載の電源コード。 
【請求項３】
前記制限溝（１０２）は、前記線通し切り欠き（１０１）から前記底壁（１００’）の中央部領域まで延びている、ことを特徴とする請求項２に記載の電源コード。 
【請求項４】
前記コード本体固定部（５）は、２つの端面（５０１ａ、５０１ｂ）及び前記２つの端面（５０１ａ、５０１ｂ）の間に形成される係合溝（６００）を備え、前記ベース（１００）の前記コード本体固定部（５）に近接する１つの前記側壁（１００ａ）と前記コード本体固定部（５）の前記ベース（１００）に近接する１つの前記端面（５０１ａ）とは、同一面である、ことを特徴とする請求項１に記載の電源コード。 
【請求項５】
前記コード本体固定部（５）の前記ベース（１００）から離れた他方の前記端面（５０１ｂ）には、前記通信モジュール（３００）の前記家電製品に接続されるリード（３０２）を通すための線通し切り欠き（１０１ｂ）が形成されている、ことを特徴とする請求項４に記載の電源コード。 
【請求項６】
前記カバー（２００）が前記ベース（１００）に回転可能に接続されるとき、前記カバー（２００）は、前記線通し切り欠き（１０１）から離れた前記側壁（１００ｂ）で、前記ベース（１００）に対して回転可能に接続され、
前記カバー（２００）とベース（１００）の前記線通し切り欠き（１０１）に近接する側壁（１００ａ）とには、互いにロック可能な係止構造（１０５、２０５）が設けられる、ことを特徴とする請求項１〜３のいずれか１項に記載の電源コード。 
【請求項７】
前記ベース（１００）の底部には、前記コード本体（２）を通過させる装着孔（１０３）が形成されている、ことを特徴とする請求項１に記載の電源コード。 
【請求項８】
家電製品であって、
ハウジング（２１）と、通信モジュール（３００）と、前記ハウジング（２１）に一体に組み立てられたリアパネル（２２）と、請求項１〜７のいずれか１項に記載の電源コード（１０）とを備え、前記コード本体固定部（５）は、前記リアパネル（２２）に固定され、前記通信モジュール（３００）は、前記収納キャビティ（Ｂ）に収納され且つ前記ハウジング（２１）から延出する、ことを特徴とする家電製品。 
【請求項９】
前記リアパネル（２２）には、装着孔（２２０）が形成され、前記コード本体固定部（５）は、２つの端面（５０１ａ、５０１ｂ）及び前記２つの端面（５０１ａ、５０１ｂ）の間に形成される係合溝（６００）を含み、前記電源コードは、前記係合溝（６００）を介して前記装着孔（２２０）に係着される、ことを特徴とする請求項８に記載の家電製品。
【発明の詳細な説明】
【技術分野】
【０００１】
本発明は、スマート電気機器の分野に関し、具体的には、電源コード、該電源コード付きの家電製品に関する。
【背景技術】
【０００２】
時代の発展及び技術の進歩に伴い、スマート製品が適用される傾向がある。制御システムは、有線又は無線などの方式で家電製品とインタラクションして、家電製品が作動するように制御することが一般的になっている。現在、通常、家電製品の本体にスマートモジュール（又は通信モジュール）を増設することにより家電製品に無線送受信機能を付与している。スマートモジュールは、一般的には、家電製品の内部又は外部に装着される。スマートモジュールが家電製品の外部に装着されると、外観性を損ない、一方、スマートモジュールが家電製品の内部に装着されると、スマートモジュールが信号を送受信するときに家電製品の内部にある電気部品からの電磁干渉を受けて、インタラクション通信の信頼性に悪影響を及ぼす。
【０００３】
従来技術では、図１に示されるスマートモジュールの装着構造が開発されている。具体的には、図１に示されるように、電源コードのコード本体固定部５には、隙間付きボス５．１が設けられ、隙間付きボス５．１には、スマートモジュール３を配置するための凹溝が設けられる。このような装着方式では、スマートモジュール３のサイズが小さいと、凹溝に装着された後の安定性が不十分になり、スマートモジュール３を大きく設置すると、装着されると取り外しにくい。別の装着方式として、スマートモジュール３を電源コードと隙間付きボス５．１の間に係着した後、固定スリーブを外部に套設して固定し、このような場合、着脱操作が複雑になる。
【発明の概要】
【発明が解決しようとする課題】
【０００４】
本発明の目的は、通信モジュールを安定的に装着でき、且つ通信モジュールの着脱が容易である電源コードを提供することである。
【課題を解決するための手段】
【０００５】
上記技術的課題を解決するために、本発明の一態様によれば、電源コードを提供する。電源コードは、家電製品への給電、及び前記家電製品と外部機器の間の無線通信を実現するための通信モジュールの装着に用いられ、前記電源コードは、コード本体と、前記コード本体の一端に設けられるプラグと、前記プラグから離れて前記コード本体に設けられ、前記コード本体を前記家電製品に固定するためのコード本体固定部と、前記コード本体固定部に近接して前記コード本体に設けられるスマートモジュール装着部とを備え、前記スマートモジュール装着部は、収納キャビティを有するベース及び前記ベースと協働して前記収納キャビティを密閉するカバーを備え、前記通信モジュールは、前記収納キャビティに収納される。
【０００６】
好ましくは、ベースは、底壁及び４つの側壁を備え、収納キャビティは、底壁及び前記４つの側壁により囲まれてなる。
【０００７】
好ましくは、前記ベースの前記コード本体固定部に近接する１つの前記側壁には、前記通信モジュールの前記家電製品に接続されるリードを通すための線通し切り欠きが形成されている。
【０００８】
好ましくは、底壁の線通し切り欠きに近接する部分には、前記リードを嵌着させる制限溝が形成されている。
【０００９】
好ましくは、制限溝は、線通し切り欠きから前記底壁の中央部領域まで延びている。
【００１０】
好ましくは、前記コード本体固定部は、２つの端面及び前記２つの端面の間に形成される係合溝を備え、前記ベースの前記コード本体固定部に近接する１つの前記側壁と前記コード本体固定部の前記ベースに近接する１つの前記端面とは、同一構造である。
【００１１】
好ましくは、コード本体固定部のベースから離れた他方の前記端面には、通信モジュールの家電製品に接続されるリードを通すための線通し切り欠きが形成されている。
【００１２】
好ましくは、カバーは、ベースに取り外し可能に装着され、または、ベースに回転可能に接続される。
【００１３】
好ましくは、前記カバーは、前記線通し切り欠きから離れた前記側壁で、前記ベースに対して回転可能に接続され、前記カバーは、前記線通し切り欠きが設けられた側壁に対向する側壁で前記ベースにヒンジ接続され、前記カバーとベースの前記線通し切り欠きに近接する側壁とには、互いにロック可能な係止構造が設けられる。
【００１４】
好ましくは、前記ベースの底部には、前記コード本体を通過させる装着孔が形成されている。
【００１５】
本発明の別の態様によれば、家電製品を提供する。家電製品は、ハウジングと、通信モジュールと、前記ハウジングに一体に組み立てられたリアパネルと、上記電源コードとを備え、前記コード本体固定部は、前記リアパネルに固定され、前記通信モジュールは、前記収納キャビティに収納され且つ前記ハウジングから延出する。
【００１６】
好ましくは、前記リアパネルには、装着孔が形成され、前記コード本体固定部は、２つの端面及び前記２つの端面の間に形成される係合溝を含み、前記電源コードは、前記係合溝を介して前記装着孔に係着される。
【発明の効果】
【００１７】
本発明の技術案は、スマートモジュールを安定的に装着でき、且つ簡便に使用でき、着脱が容易である。
【００１８】
本発明の他の特徴及び利点は、以下の発明を実施するための形態において詳細に説明する。
【図面の簡単な説明】
【００１９】
【図１】従来技術における実施形態の電源コードの構造模式図である。
【図２】本発明の第１実施形態の電源コードの構造模式図である。
【図３】図２の正面図である。
【図４】本発明の第２実施形態の電源コードの構造模式図である。
【図５】本発明の電源コード付きの家電製品の構造模式図である。
【図６】電源コードと家電製品の間の組立関係の模式図である。
【発明を実施するための形態】
【００２０】
以下、図面を参照しながら本発明の特定の実施形態を詳細に説明する。なお、ここで説明される特定の実施形態は、本発明を説明及び解釈するために過ぎず、本発明を制限するものではない。
【００２１】
本発明では、反対の記述がない限り、使用される方位詞、たとえば「上、下、頂、底」は、通常、図面に示される方向に対する、又は鉛直、垂直又は重力方向に対する各部品の相互位置関係について説明される用語であり、「鉛直方向」とは、図示した紙面の上下方向を意味し、「内、外」は、通常、チャンバーに対するチャンバーの内外又は円心に対する径方向の内外を意味する。
【００２２】
図２に示されるように、本発明は、電源コード１０を提供し、該電源コード１０は、家電製品２０への給電、及び通信モジュール３００の装着に用いられる。通信モジュール３００は、家電製品２０と外部機器の間の無線通信に用いられる。電源コード１０は、コード本体２と、コード本体２の一端に設けられるプラグ１と、プラグ１から離れてコード本体２に設けられ、コード本体２を家電製品に固定するためのコード本体固定部５と、コード本体固定部５に近接してコード本体２に設けられるスマートモジュール装着部Ｓとを備える。スマートモジュール装着部Ｓは、収納キャビティＢを有するベース１００及びベース１００と協働して収納キャビティＢを密閉させるカバー２００を備え、通信モジュール３００は、収納キャビティＢに収納される。組み立てるときに、通信モジュール３００の本体部をベース１００の収納キャビティＢに嵌め込むことができ、カバー２００をベース１００に協働することによって、通信モジュール３００の本体部分をパッケージし、通信モジュール３００のリード３０２をベース１００の外部まで延ばしている。
【００２３】
ここで、なお、通信モジュール３００は、アンテナ、及び信号処理機能を有する信号処理モジュールを備える。好ましくは、通信モジュール３００は、シート状のアンテナであり、信号処理モジュールは、家電製品の制御板に集積されている。
【００２４】
好ましくは、図２に示されるように、ベース１００は、底壁１００’及び４つの側壁１００ａ、１００ｂ、１００ｃ、１００ｄを備え、収納キャビティＢは、底壁１００’及び４つの側壁１００ａ、１００ｂ、１００ｃ、１００ｄにより囲まれてなる。コード本体固定部５に近接するベース１００の１つの側壁１００ａには、通信モジュールの家電製品に接続されるリード３０２が通るための線通し切り欠き１０１が形成されている。線通し切り欠き１０１に近接する底壁１００’の部分には、リード３０２が嵌着する制限溝１０２が形成されている。このような場合は、通信モジュール３００の本体部がベース１００の収納キャビティＢのサイズに合わせると、通信モジュールのリード３０２は、直接線通し切り欠き１０１から水平にベース１００の外部まで延びることができる。通信モジュール３００の本体部のサイズがベース１００のサイズ未満であると、通信モジュール３００のリード３０２は、制限溝１０２による制限及びガイドによって、まず、線通し切り欠き１０１に延びて、さらにベース１００から延出する。以上から明らかなように、通信モジュール３００のサイズにかかわらず、カバー２００、線通し切り欠き１０１及び制限溝１０２は、共同で通信モジュールのリード３０２を一定の移動空間に制限し、通信モジュールのリード３０２が通信モジュールの本体部を上へ引っ張ることを防止し、電源コードの通信モジュール３００の装着の安定性を高める。
【００２５】
上記実施形態では、ベース１００の底部には、コード本体２が通過可能な装着孔１０３が形成されている。
【００２６】
通信モジュールのリード３０２に一定の移動マージンを付与するために、制限溝１０２は、線通し切り欠き１０１から底壁１００’の中央部領域まで延びている。このような場合は、通信モジュールのリード３０２は、制限溝１０２に沿って所定角度だけ下へ折り曲げられる。また、通信モジュールのリード３０２の下方への折り曲げは、ベース１００における通信モジュール３００全体の安定性に影響を与えない。好ましくは、通信モジュール３００は、無線通信素子を含む。より好ましくは、無線通信素子は、ｗｉｆｉアンテナである。
【００２７】
また、通信モジュール３００がほかの電気機器に容易に装着できるように、図３及び図４に示されるように、コード本体固定部５は、２つの端面５０１ａ、５０１ｂ及び２つの端面５０１ａ、５０１ｂの間に形成される係合溝６００を含み、コード本体固定部５に近接するベース１００の１つの側壁１００ａとベース１００に近接するコード本体固定部５の１つの端面５０１ａは、同一構造となる。好ましくは、ベース１００から離れたコード本体固定部５の他方の端面５０１ｂには、通信モジュール３００の家電製品に接続されるリード３０２が通るための線通し切り欠き１０１ｂが形成されている。このような場合は、通信モジュール３００は、電源コードのコード本体固定部５とともに係合溝６００を介して電気機器のケースに固定できる。
【００２８】
線通し切り欠き１０１ｂは、ベース１００の係合溝６００の側壁に形成される。このような場合は、通信モジュールのリード３０２が電源コードのコード本体２と同じ延び方向を有し、即ち、通信モジュールのリード３０２がコード本体２に平行することが確保できる。それによって、電源コードと通信モジュールのリード３０２が交差したり絡み合ったりして、互いに干渉することを防止し、且つそれぞれの接続に有利である。
【００２９】
図２及び図４に示されるように、カバー２００は、ベース１００に取り外し可能に装着されてもよく、ベース１００に回転可能に接続されてもよい。具体的には、カバー２００がベース１００に回転可能に接続される場合、カバー２００と線通し切り欠き１０１に近接するベース１００の側壁１００ａには、互いにロック可能な係止構造１０５、２０５が設けられている。このような場合は、通信モジュール３００を装着した後、カバー２００を通信モジュール３００の上方に覆設し、さらに通信モジュールのリード３０２を係止することができる。
【００３０】
本発明は、さらに家電製品を提供し、図５及び図６に示されるように、家電製品は、ハウジング２１と、通信モジュール３００と、ハウジング２１に一体に組み立てられたリアパネル２２と、上記電源コード１０とを備える。コード本体固定部５は、リアパネル２２に固定され、通信モジュール３００は、ベース１００の収納キャビティＢに収納され且つハウジング２１から延出する。好ましくは、リアパネル２２には、装着孔２２０が形成されており、コード本体固定部５は、２つの端面５０１ａ、５０１ｂ及び２つの端面５０１ａ、５０１ｂの間に形成される係合溝６００を備える。電源コード１０は、係合溝６００を介して装着孔２２０に係着される。このような場合は、通信モジュール３００を電源コード１０のコード本体固定部５に巧妙に設けることによって、通信モジュール３００は、直接家電製品２０のリアパネル２２に設けられる。それによって、家電製品２０がほかの電気機器に通信できるようにし、また、通信モジュール３００による家電製品２０の外観性への影響を防止するだけでなく、家電製品２０の内部における電子素子による通信モジュール３００の信号への電磁干渉を回避できる。
【００３１】
さらに、図６に示されるように、装着孔２２０は、リアパネル２２の頂部領域に形成される。通信モジュール３００を交換する必要がある場合、まず、ハウジング２１をリアパネル２２から取り外し、次に、電源コードのコード本体固定部５を装着孔２２０から取り出し、カバー２００を開いてベース１００における通信モジュール３００を交換する。なお、本発明における家電製品２０は、電源コード１０の使用を必要とする任意のスマート家電製品、たとえば、冷蔵庫、洗濯機やエアコンなどであってもよい。好ましくは、本発明における家電製品２０は、電子レンジ又はオーブンである。
【００３２】
以上は、図面を参照しながら本発明における好適実施形態を説明したが、本発明は、それに制限されない。本発明の技術的構想から逸脱することなく、本発明の技術案に対して、各特定の技術的特徴を適切な方式で組み合わせることを含める、さまざまな簡単な変形を行うことができる。不要な重複を避けるために、本発明では、各種の可能な組み合わせの形態についての説明を省略する。ただし、これら簡単な変形及び組み合わせも同様に本発明で開示された内容とみなされるべきであり、すべて本発明の特許範囲に属する。
【符号の説明】
【００３３】
１  プラグ
２  コード本体
３  スマートモジュール
５  コード本体固定部
５．１  隙間付きボス
１０  電源コード
２０家電製品
Ｓ  スマートモジュール装着部
２１  ハウジング
２２  リアパネル
２２０  装着孔
Ｂ  収納キャビティ
１００  ベース
１００’  底壁
１００ａ  第１側壁
１００ｂ  第２側壁
１００ｃ  第３側壁
１００ｄ  第４側壁
１０１  線通し切り欠き
１０２  制限溝
１０１ｂ  線通し切り欠き
１０３  装着溝
２００  カバー
３００  通信モジュール
３０２  リード
５０１ａ  第１端面
５０１ｂ  第２端面
６００  係合溝
【図１】
0006979530.tif 000002
【図２】
0006979530.tif 000003
【図３】
0006979530.tif 000004
【図４】
0006979530.tif 000005
【図５】
0006979530.tif 000006
【図６】
0006979530.tif 000007